(57)【要約】【課題】カメラ本体に対するレンズ鏡筒の回転ロック状態を確実に維持することができるマウントロック機構を提供する。【解決手段】カメラマウントとレンズマウントの一方に配置されたロックピン５３と、カメラマウントとレンズマウントの他方に配置されていてロックピン５３が係合するロック溝１１ｃとを有し、カメラマウントとレンズマウントとがバヨネット結合するカメラに適用されるマウントロック機構において、ロックピンがロック溝に挿入する挿入開口１１ｃａの第１の溝幅Ｄ１は、ロック溝にロックピンが係合完了した際にロックピンの先端部が位置するロック溝の一部位１１ｃｄの第２の溝幅Ｄ２よりも小さく形成した。【選択図】図６
2020060647.tif 000002
【特許請求の範囲】
【請求項１】
カメラマウントとレンズマウントの一方に配置されたロックピンと、上記カメラマウントと上記レンズマウントの他方に配置されていて上記ロックピンが係合するロック溝と、を有し、上記カメラマウントと上記レンズマウントとがバヨネット結合するカメラに適用されるマウントロック機構において、
上記ロックピンが上記ロック溝に挿入する挿入開口の第１の溝幅は、上記ロック溝に上記ロックピンが係合完了した際に上記ロックピンの先端部が位置する上記ロック溝の一部位の第２の溝幅よりも小さいことを特徴とするマウントロック機構。
【請求項２】
上記ロックピンの挿入方向に平行な断面形状において、上記第１の溝幅を有する部位から上記第２の溝幅を有する部位までの間は溝幅が徐々に増加する傾斜面を形成していることを特徴とする請求項１記載のマウントロック機構。
【請求項３】
上記ロックピンの挿入方向に平行な断面形状において、上記第１の溝幅を有する部位から上記第２の溝幅を有する部位までの間の、溝幅が段階的に大きくなっていることを特徴とする請求項１記載のマウントロック機構。
【請求項４】
上記ロック溝は、最深部の溝幅が一番大きいことを特徴とする請求項１〜請求項３のうちいずれか一項に記載のマウントロック機構。
【発明の詳細な説明】
【技術分野】
【０００１】
この発明は、カメラマウントとレンズマウントとがバヨネット結合するカメラに具備されるマウント装置に適用され、ロックピンと当該ロックピンが係合するロック溝とを有して構成されるマウントロック機構に関するものである。
【背景技術】
【０００２】
従来、撮像光学系（レンズ）を備えたレンズ鏡筒を撮像装置（カメラ）本体に対して着脱自在に構成した形態のいわゆるレンズ交換式撮像装置が一般に実用化され広く普及している。
【０００３】
この種のレンズ交換式撮像装置において、装置本体（以下、カメラ本体という）に対してレンズ鏡筒を着脱自在とするための結合機構としては、例えばカメラ本体側のカメラマウントとレンズ鏡筒側のレンズマウントとがバヨネット結合するタイプのいわゆるバヨネット式マウント装置が一般に普及している。このバヨネット式マウント装置は、カメラ本体に対してレンズ鏡筒が装着されたときには、当該レンズ鏡筒の装着状態を維持すると共に、当該レンズ鏡筒がカメラ本体に対して光軸回りに回転しないように、レンズ鏡筒の回転位置を規制するマウントロック機構を有しているのが普通である。
【０００４】
従来のマウント装置におけるマウントロック機構としては、例えばカメラマウントとレンズマウントの一方に配置されたロックピンと、カメラマウントとレンズマウントの他方に配置され上記ロックピンが係合するロック溝とを有して構成されるものがある。この構成の場合、ロックピンをロック溝に係合させることで、カメラ本体に対するレンズ鏡筒の光軸回りの回転を所定の位置で規制するように構成されている。具体的な構成例としては、例えば光軸に沿う方向に突没自在に設けたロックピンと、当該ロックピンの突没方向に相対する面に設けられ光軸に沿う方向に向けた凹部からなり、上記ロックピンを係合させるロック溝を設けて構成される形態のものが一般である。
【０００５】
このような従来の形態のマウントロック機構においては、カメラ本体にレンズ鏡筒が装着された状態にあるときに、ロックピンとロック溝との係合部分に大きな外力が加わる状況がある。
【０００６】
例えば、手動フォーカス操作や手動ズーム操作等を行う場合には、各操作リングは所定の回転範囲内で回転するように構成されているのが普通である。ここで、例えば操作リングが所定の回転範囲内における一方の端部に到達しているにも関わらず、さらに当該操作リングを同じ方向へ回転させようとすると、操作リングはそれ以上回らない。したがって、この場合、操作リングへの操作力量を受けてレンズ鏡筒自体が光軸回りに回転しようとする。このとき、ロックピンとロック溝との係合部分には大きな外力が加わる。
【０００７】
また、例えば、カメラ本体からレンズ鏡筒を取り外す操作を行う場合には、まず、ロックピンのロック解除操作を行って、ロックピンとロック溝との係合状態を解除した上で、カメラ本体に対してレンズ鏡筒を光軸回りに回転させる手順となっている。この場合において、例えば、ロックピンのロック解除操作を行わずに、若しくは不完全なロック解除操作のままカメラ本体に対してレンズ鏡筒を光軸回りに回転させる力量を加えると、ロックピンとロック溝との係合部分に対して大きな外力が加わることになる。
【０００８】
このように、カメラのマウントロック機構において、ロックピンとロック溝との係合部分に大きな外力が加わった場合や、カメラ本体と各種のレンズ鏡筒との着脱操作を繰り返し行った場合、ロックピンが当接するロック溝の挿入開口部に変形が生じたり、溝開口幅を拡張してしまうことがある。そして、当該変形が進行した場合、カメラ本体にレンズ鏡筒を装着したときのレンズ鏡筒の回転ロック状態を維持できないようになってしまう場合がある。
【０００９】
そこで、従来、例えばロックピンがロック溝に係合している状態で、当該係合部分に外力が加わった場合に、ロック溝の挿入開口部の変形を抑止し、またロック溝の開口幅の拡張を抑えるための工夫が、例えば特開平７−３３３７０３号公報，特開平３−２３１７２６号公報，特開平４−２４２７３号公報等によって種々提案されている。
【００１０】
上記特開平７−３３３７０３号公報，特開平３−２３１７２６号公報等によって開示されているマウントロック機構は、ロック溝に相当する部分をマウント部材とは異なる別体の部品で形成すると共に、当該別体部品をロックピンよりも硬質な素材（例えば金属部品）で形成している。
【００１１】
上記特開平４−２４２７３号公報等によって開示されているマウントロック機構は、ロック溝の開口幅が、当該ロック溝の最底面部幅よりも広くなるように形成している。
【先行技術文献】
【特許文献】
【００１２】
【特許文献１】特開平７−３３３７０３号公報
【特許文献２】特開平３−２３１７２６号公報
【特許文献３】特開平４−２４２７３号公報
【発明の概要】
【発明が解決しようとする課題】
【００１３】
ところが、上記特開平７−３３３７０３号公報，特開平３−２３１７２６号公報等によって開示されているマウントロック機構においては、ロック溝を含む別体部品をマウント部の所定の部位に取り付ける場合、例えば圧入接合等の組み付け手段が用いられることになる。この場合、当該装置を使用しているうちに、ロックピンとロック溝との間にガタが発生し、所定のロック状態を維持できなくなってしまうという問題点がある。そして、カメラ本体とレンズ鏡筒との結合状態が使用中に外れてしまう等の問題点が生じる場合がある。
【００１４】
また、圧入接合等によって上記別体部品を取り付ける場合、例えば他の部品に施された鍍金等の処理が剥がれてしまう等の問題が生じることがある。この場合、生産性が低下し、製造コストが高くつくという問題点がある。
【００１５】
さらに、圧入接合等によって上記別体部品を取り付ける場合、必要とする圧入力量を確保するためには、別体部品とマウント部との嵌合長を長くとる必要がある。このことから、装置が大型化してしまうという問題点がある。
【００１６】
一方、上記特開平４−２４２７３号公報等によって開示されているマウントロック機構においては、ロックピンとロック溝との係合部分に外力が加わってロック溝の挿入開口部に変形が生じた場合、ロックピンとロック溝の挿入開口部との間の寸法差が広がって、ガタが発生してしまうという問題点がある。このようなガタが発生した場合、カメラ本体とレンズ鏡筒とを確実に結合させることができなくなるという問題が生じる場合がある。
【００１７】
本発明は、上述した点に鑑みてなされたものであって、その目的とするところは、カメラマウントとレンズマウントとがバヨネット結合するカメラに具備されるマウント装置に適用され、ロックピンと当該ロックピンが係合するロック溝とを有して構成されるマウントロック機構において、カメラマウントとレンズマウントとが結合状態にあるときに、ロックピンとロック溝との係合部分に外力が加わってロック溝の挿入開口部に変形が生じたとしても、カメラ本体に対するレンズ鏡筒の回転ロック状態を確実に維持することができるマウントロック機構を提供することである。
【課題を解決するための手段】
【００１８】
上記目的を達成するために、本発明の一態様のマウントロック機構は、カメラマウントとレンズマウントの一方に配置されたロックピンと、上記カメラマウントと上記レンズマウントの他方に配置されていて上記ロックピンが係合するロック溝と、を有し、上記カメラマウントと上記レンズマウントとがバヨネット結合するカメラに適用されるマウントロック機構において、上記ロックピンが上記ロック溝に挿入する挿入開口の第１の溝幅は、上記ロック溝に上記ロックピンが係合完了した際に上記ロックピンの先端部が位置する上記ロック溝の一部位の第２の溝幅よりも小さい。
【発明の効果】
【００１９】
本発明によれば、カメラマウントとレンズマウントとがバヨネット結合するカメラに具備されるマウント装置に適用され、ロックピンと当該ロックピンが係合するロック溝とを有して構成されるマウントロック機構において、カメラマウントとレンズマウントとが結合状態にあるときに、ロックピンとロック溝との係合部分に外力が加わってロック溝の挿入開口部に変形が生じたとしても、カメラ本体に対するレンズ鏡筒の回転ロック状態を確実に維持することができるマウントロック機構を提供することができる。
【図面の簡単な説明】
【００２０】
【図１】本発明の第１の実施形態のマウントロック機構を適用したレンズ鏡筒の外観斜視図
【図２】図１のレンズ鏡筒の分解斜視図
【図３】図１の矢印［３］方向から見た矢視図
【図４】図３の矢印［４］で示す円形領域を拡大して示す要部拡大図
【図５】図４の矢印［５］−［５］線に沿う断面を示す要部拡大断面図
【図６】図５の矢印［６］で示す円形領域を拡大して（ロック溝の断面形状を特に）示す要部拡大断面図
【図７】図１のレンズ鏡筒のレンズマウントに対応する撮像装置（カメラ）側のカメラマウントを示す平面図
【図８】図７に示すレンズ鏡筒側のロック溝に対し、対応するカメラマウント側のロックピンが係合している状態を示す要部拡大断面図
【図９】図８の矢印［９］で示す楕円領域をさらに拡大して示す要部拡大断面図
【図１０】本発明の第２の実施形態のマウントロック機構におけるロック溝が形成される近傍を拡大して示す要部拡大平面図
【図１１】図１０の矢印［１１］−［１１］線に沿う断面を示す要部拡大断面図
【図１２】本発明の第３の実施形態のマウントロック機構を適用したレンズ鏡筒の外観斜視図
【図１３】図１２のレンズ鏡筒の分解斜視図
【図１４】図１２の矢印［１４］方向から見た矢視図
【図１５】図１４の矢印［１５］で示す円形領域を拡大して示す要部拡大図
【図１６】図１４のレンズ鏡筒から一部の部材を取り外した状態を示す要部拡大図
【図１７】図１２のレンズ鏡筒に適用されるマウントロック機構のロック溝ユニットを取り出して示す外観斜視図
【図１８】図１７の矢印［１８］方向から見た矢視図
【図１９】本発明の第４の実施形態のマウントロック機構において、ロック溝が形成される近傍を拡大して示す要部拡大断面図
【図２０】従来形態のマウントロック機構において、ロック溝に対してロックピンが係合し、ロック溝が変形している状態を示す要部拡大断面図
【発明を実施するための形態】
【００２１】
以下、図示の実施の形態によって本発明を説明する。以下の説明に用いる各図面は模式的に示すものであり、各構成要素を図面上で認識できる程度の大きさで示すために、各部材の寸法関係や縮尺等を構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００２２】
以下に説明する本発明の各実施形態は、撮像装置（カメラ）側のカメラマウントとレンズ鏡筒側のレンズマウントとがバヨネット結合するカメラに具備されるマウント装置に適用され、カメラマウントに配置されたロックピンと、レンズマウントに配置され上記ロックピンが係合するロック溝とを有して構成されるマウントロック機構についての各種の形態の例示である。
【００２３】
本発明を実現するための構成は、以下に例示する各実施形態のみに限られるものではない。以下に説明する各実施形態とは異なる形態、例えば、撮像装置（カメラ）側のカメラマウントにロック溝を配置し、レンズ鏡筒側のレンズマウントにロックピンを配置した形態のマウントロック機構として構成することによっても、本発明は全く同様に適用することができる。
【００２４】
［第１の実施形態］
図１〜図９は、本発明の第１の実施形態のマウントロック機構を示す図である。このうち、図１は本発明の第１の実施形態のマウントロック機構を適用したレンズ鏡筒の外観斜視図である。図２は図１のレンズ鏡筒の分解斜視図である。なお、図２においては、レンズ鏡筒に含まれる撮像光学系等、本発明に直接関連しない一部の部材を省略して図示している。
【００２５】
図３は、図１の矢印［３］方向から見た矢視図である。即ち、図３は本発明の一実施形態のマウントロック機構を備えたレンズ鏡筒におけるレンズマウントの平面図である。図４は図３の矢印［４］で示す円形領域を拡大して示す要部拡大図である。図５は図４の矢印［５］−［５］線に沿う断面を示す要部拡大断面図である。図６は図５の矢印［６］で示す円形領域を拡大して（ロック溝の断面形状を特に）示す要部拡大断面図である。
【００２６】
図７は図１のレンズ鏡筒のレンズマウントに対応する撮像装置（カメラ）側のカメラマウントを示す平面図である。なお、図７に示すカメラマウントは、本発明の一実施形態のマウントロック機構の一部を構成するロックピンを含んで構成されている。
【００２７】
図８は図７に示すレンズ鏡筒側のロック溝に対し、対応するカメラマウント側のロックピンが係合している状態を示す要部拡大断面図である。図９は図８の矢印［９］で示す楕円領域をさらに拡大して示す要部拡大断面図である。そして、図９においては、ロックピンとロック溝との係合部分に外力が加わったときに、ロックピンによってロック溝の挿入開口部の内周縁部が変形した場合の具体例を示している。
【００２８】
まず、本発明の一実施形態のマウントロック機構を適用したレンズ鏡筒の概略構成について、主に図１〜図３を用いて以下に説明する。
【００２９】
本実施形態のマウントロック機構を適用したレンズ鏡筒１は、主に図１〜図３に示すように、マウントリング１１と、筒本体１２と、固定筒１３と、接点ユニット１４と、撮像光学系１６（図２には不図示）等を有して構成されている。
【００３０】
マウントリング１１は、撮像装置本体（以下、カメラ本体という）側のカメラマウント５０（図７参照）に対してバヨネット結合するためのレンズ鏡筒１側のマウント部である。
【００３１】
マウントリング１１は、略円環形状に形成され、主に図２に示すように、開口１１ｄと、外向フランジ部１１ｅと、内向フランジ部１１ｆと、複数のバヨネット爪１１ｇ等を有して構成されている。
【００３２】
開口１１ｄは、被写体光束を通過させる貫通孔である。
【００３３】
外向フランジ部１１ｅは、マウントリング１１を筒本体１２に対して固定する固定部位である。そのために、この外向フランジ部１１ｅには、複数のビス挿通孔１１ａが形成されている。そして、マウントリング１１は、複数のビス挿通孔１１ａに挿通される複数のビス２１のそれぞれを、筒本体１２の複数のビス孔１２ａのそれぞれに締結されることによって固定されている。
【００３４】
また、外向フランジ部１１ｅには、ロック溝１１ｃが形成されている。このロック溝１１ｃは、後述するカメラ本体側のカメラマウント５０に配置されるロックピン５３（図７参照））と共に、本実施形態のマウントロック機構の主要構成部である。なお、ロック溝１１ｃの構成の詳細は後述する。
【００３５】
上述のマウント面とは、レンズ鏡筒１がカメラ本体（不図示）のカメラマウント５０（図７参照）に対して装着される際に、当該マウントリング１１がカメラマウント５０側のマウントリング５１（後述；図７参照）に相対する面を指すものとする（図３で示されている面が相当する）。
【００３６】
内向フランジ部１１ｆは、固定筒１３をマウントリング１１に対して固定する固定部位である。そのために、この内向フランジ部１１ｆには、複数のビス孔１１ｂが形成されている。そして、固定筒１３は、複数のビス２２のそれぞれを、後述する複数のビス挿通孔１３ａのそれぞれに挿通させた後に、マウントリング１１の複数のビス孔１１ｂのそれぞれに締結させることによって、当該マウントリング１１に固定されている。
【００３７】
複数のバヨネット爪１１ｇは、カメラマウント５０側のマウントリング５１のバヨネット爪５１ｇ（図７参照）に対してバヨネット結合するための複数の爪部である。なお、マウントリング１１におけるバヨネット結合を実現するための構成は、従来のレンズ鏡筒等において適用されるものと略同様構成を有するものである。したがって、その詳細説明は省略する。
【００３８】
筒本体１２は、全体として円筒形状に形成され、内周面沿って形成される内向フランジ部１２ｄと、円周状壁部１２ｅとを有して構成される固定部材である。この筒本体１２の内部には撮像光学系１６（図１，図３参照；図２には不図示）や、撮像光学系１６の一部を駆動するための駆動ユニット（不図時）等、各種の構成部材を収納している。なお、筒本体１２の内部構成については、本発明に直接関連しない部分であるので、その図示及び詳細説明は省略する。
【００３９】
筒本体１２の内向フランジ部１２ｄには、マウントリング１１を固定するための複数のビス孔１２ａが設けられている。
【００４０】
円周状壁部１２ｅは、内向フランジ部１２ｄの外周に沿って形成された円周状の壁状部位である。この円周状壁部１２ｅ内には、マウントリング１１が配置される。したがって、円周状壁部１２ｅの内径寸法は、マウントリング１１が当該円周状壁部１２ｅ内部に収納され得るように、当該マウントリング１１の外径寸法と略同等で、かつマウントリング１１の外径寸法よりも若干大径となるように形成されている。
【００４１】
したがって、筒本体１２の円周状壁部１２ｅの内部にマウントリング１１を配置したとき、円周状壁部１２ｅは、マウントリング１１の外周の位置を位置決めする位置決め部として機能する。
【００４２】
固定筒１３は、マウントリング１１の内周側に配設される筒状部材である。この固定筒１３は、接点ユニット１４の両端を保持する固定部材である。固定筒１３は、上述したように、マウントリング１１の内向フランジ部１１ｆの複数のビス孔１１ｂに対して複数のビス２２を用いて固定されている。
【００４３】
そのために、固定筒１３には、外周面上に沿って外向フランジ部１３ｂが形成されている。この外向フランジ部１３ｂは、接点ユニット１４を配置するために、一部が切り欠かれて形成される切欠部１３ｃが設けられている。そして、当該外向フランジ部１３ｂには、複数のビス２２をそれぞれ挿通させる複数のビス挿通孔１３ａが形成されている。
【００４４】
これにより、固定筒１３は、マウントリング１１の内周側に配設される際には、外向フランジ部１３ｂが当該マウントリング１１の内向フランジ部１１ｆに対向するように配置される。そして、この状態で、固定筒１３の複数のビス挿通孔１３ａのそれぞれに複数のビス２２のそれぞれを挿通した後、当該複数のビス２２のそれぞれは、マウントリング１１の内向フランジ部１１ｆの複数のビス孔１１ｂのそれぞれに締結される。これによって、固定筒１３は、マウントリング１１に固定される。
【００４５】
接点ユニット１４は、複数の電子接点１４ａを有して構成される電気部品である。この接点ユニット１４は、レンズ鏡筒１がカメラ本体（不図示）に対して装着されたときに、カメラ本体側の接点ユニット５４の複数の電子接点５４ａ（図７参照）と電気的に接触することで、レンズ鏡筒１とカメラ本体との間の電気的な接続を確保し、各種の通信等を行うために設けられている。そのために、これら複数の電子接点１４ａは、レンズ鏡筒１の内部に設けられる電子回路（不図示）から延設されるフレキシブルプリント基板（不図示）に対し内部において電気的に接続されている。
【００４６】
接点ユニット１４は、マウントリング１１の内周面に沿うようにして、固定筒１３の切欠部１３ｃに配置されている。この状態で、接点ユニット１４の両端は、固定筒１３の固定部に対して固定保持されている。そして、接点ユニット１４は、マウントリング１１の外周側から内周に向けて穿設されたビス挿通孔（不図示）に挿通されたビス（不図示）を用いて固定されている。
【００４７】
次に、マウントリング１１に形成されているロック溝１１ｃの構成について、さらに図４〜図６等を用いて詳述する。
【００４８】
このロック溝１１ｃは、カメラマウント５０（図７参照）側のマウントリング５１に配置されるロックピン５３（図７参照）と係合する凹溝部である。このロック溝１１ｃは、上述したようにロックピン５３と共に、本実施形態のマウントロック機構の主要構成部である。
【００４９】
ロック溝１１ｃは、マウントリング１１の外向フランジ部１１ｅの平面（マウント面）から撮像光学系１６の光軸に沿う方向において凹溝として形成されている。
【００５０】
また、ロック溝１１ｃは、マウントリング１１の外向フランジ部１１ｅに形成され、当該マウントリング１１の周方向に対して略直交する方向に長軸を有する長孔として形成されている。
【００５１】
ロック溝１１ｃは、主に図５，図６に示すように、挿入開口部１１ｃａと、ピン当接領域１１ｃｂと、傾斜面部１１ｃｃと、溝底面部１１ｃｄ等を有して形成されている。
【００５２】
挿入開口部１１ｃａは、ロックピン５３が挿入する側の開口として形成される部位を指すものとする。この場合において、挿入開口部１１ｃａは、マウントリング１１の周方向に対して略直交する方向の長軸を有する長孔である。
【００５３】
ピン当接領域１１ｃｂは、挿入開口部１１ｃａの内周縁部のうちマウントリング１１の周方向に対して略直交する線に沿う所定の範囲の部位を指すものとする。ここで、ピン当接領域１１ｃｂは、ロック溝１１ｃにロックピン５３が係合した状態で、例えば、当該ロック溝１１ｃとロックピン５３との係合部分に外力が加わって、レンズ鏡筒１が光軸回りに回転しようとするとき、ロックピン５３が当接する部位となっている。
【００５４】
傾斜面部１１ｃｃは、挿入開口部１１ｃａの内周縁部のピン当接領域１１ｃｂから溝底面部１１ｃｄの周縁部までの間に連続的に形成される斜面を指すものとする。
【００５５】
溝底面部１１ｃｄは、ロック溝１１ｃにロックピン５３が係合完了した際に、当該ロックピン５３の先端部が位置するロック溝１１ｃ内における一部位である。そして、この溝底面部１１ｃｄは、当該ロック溝１１ｃの凹状における最深部に位置するものとする。
【００５６】
ここで、ロック溝１１ｃにおいて、挿入開口部１１ｃａの長軸に対して略直交する方向の短軸の溝幅を第１の溝幅というものとし、図６に示すように、当該第１の溝幅に符号Ｄ１を付する。また、溝底面部１１ｃｄにおいて、上記第１の溝幅Ｄ１と同方向の溝幅を第２の溝幅というものとし、図６に示すように、当該第２の溝幅には符号Ｄ２を付する。
【００５７】
なお、ここで、第１の溝幅Ｄ１は、当該ロック溝１１ｃに係合するロックピン５３の直径と略同径若しくは若干大径に形成されている。
【００５８】
この場合において、本実施形態のマウントロック機構におけるロック溝１１ｃは、挿入開口部１１ｃａの第１の溝幅Ｄ１が、溝底面部１１ｃｄの第２の溝幅Ｄ２よりも小さくなるように形成されている（Ｄ１＜Ｄ２）。
【００５９】
そして、この場合において、ロック溝１１ｃは、図５，図６に示すように、ロックピン５３の挿入方向に平行な断面形状において、第１の溝幅Ｄ１を有する部位（挿入開口部１１ｃａに平行な面）から第２の溝幅Ｄ２を有する部位（溝底面部１１ｃｄに平行な面）までの間は、溝幅が徐々に増加する傾斜面（開口１１ｃａから底面部１１ｃｄに向けて拡がるテーパー面）を形成している。つまり、ロック溝１１ｃは、挿入開口部１１ｃａの溝幅Ｄ１に対して最深部である溝底面部１１ｃｄの溝幅Ｄ２が一番大きくなるように構成されている。
【００６０】
一方、本実施形態のマウントロック機構は、上述のロック溝１１ｃと、当該ロック溝１１ｃに係合するロックピン５３によって構成されている。このロックピン５３は、図７に示すように、カメラマウント５０のマウントリング５１の所定の位置に配置されている。  ここで、ロックピン５３自体の構成については、従来のカメラ本体において適用されるものと略同様構成を有するものとして、以下に簡単に説明する。
【００６１】
ロックピン５３は、カメラマウント５０のマウントリング５１の平面（マウント面）から、当該カメラ本体に装着された状態のレンズ鏡筒１の撮像光学系の光軸に平行な方向に突没自在に配設され、例えば円柱形状に形成された棒状部材である。ロックピン５３を突没させる機構の構成については、従来のものと同様のものが適用されているものとして、その説明は省略する。
【００６２】
ロックピン５３は、カメラ本体にレンズ鏡筒１が装着された状態とされたとき、所定のタイミングでレンズ鏡筒１側のレンズマウントのマウントリング１１に配設されたロック溝１１ｃに係合する。これにより、ロックピン５３は、当該カメラ本体に対するレンズ鏡筒１の回転規制を行う。
【００６３】
ここで、カメラマウント５０の構成について以下に簡単に説明する。図７は、カメラ本体（不図示）側に設けられ、上記レンズ鏡筒１が装着されるカメラマウント５０を模式的に示している。
【００６４】
カメラマウント５０は、マウントリング５１と、ロックピン５３と、カメラ側接点ユニット５４と、ロック解除操作部材５５等を有して構成されている。
【００６５】
マウントリング５１は、カメラ本体（不図示）の前面側に対し、複数のビス５９を用いて固定されている。このマウントリング５１は、略略円環形状に形成され、開口５１ｄと、複数のバヨネット爪５１ｇ等を有し、所定の位置にロックピン５３を配置して構成されている。
【００６６】
開口５１ｄは、被写体光束を通過させると共に、撮像素子６０の撮像面を露呈させる貫通孔である。
【００６７】
この開口５１ｄの内周縁には、複数のバヨネット爪５１ｇが設けられている。この複数のバヨネット爪５１ｇは、レンズ鏡筒１のマウントリング１１の複数のバヨネット爪１１ｇに対してバヨネット結合するための複数の爪部である。
【００６８】
また、マウントリング５１には、ロックピン５３が配置されている。上述したように、カメラ本体にレンズ鏡筒１が装着された時、ロックピン５３はロック溝１１ｃに係合して、レンズ鏡筒１の回転規制を行う。
【００６９】
なお、ロックピン５３の先端部分には、面取部５３ａが形成されている。この面取部５３ａは、ロックピン５３がロック溝１１ｃに対して円滑に係合し得るようにするための工夫である。
【００７０】
さらに、マウントリング５１の開口５１ｄの内側部位において、カメラ本体の固定部にはカメラ側接点ユニット５４が配設されている。このカメラ側接点ユニット５４は、複数の電子接点５４ａを有して構成される電気部品である。このカメラ側接点ユニット５４は、カメラ本体に対してレンズ鏡筒１が装着されたときに、レンズ鏡筒１側の接点ユニット１４の複数の電子接点１４ａと電気的に接触することで、カメラ本体とレンズ鏡筒１との間の電気的な接続を確保して、各種の通信等を行うために設けられている。
【００７１】
なお、ロック解除操作部材５５は、ロックピン５３とロック溝１１ｃとの係合状態を解除するための操作部材である。
【００７２】
このように構成された本実施形態のマウントロック機構においては、カメラ本体に対してレンズ鏡筒１を従前の所定の手順によってバヨネット結合させて、その結合が完了したときには、図８に示すように、カメラ本体側のカメラマウント５０のマウントリング５１に配置されたロックピン５３がレンズ鏡筒１側のレンズマウントのマウントリング１１に配置されたロック溝１１ｃに係合する。これにより、レンズ鏡筒１は、カメラ本体に対して光軸周りの回転が規制されたロック状態となる。
【００７３】
こうして、カメラ本体とレンズ鏡筒１が結合状態とされたときに、例えばレンズ鏡筒１を光軸回りに回転させるような外力が加わると、ロック溝１１ｃとロックピン５３との係合部分には大きな外力が加わることになる。そして、このような状況が繰り返される等すると、マウントリング１１のロック溝１１ｃにおいては、ロックピン５３が当接している部位、即ち挿入開口部１１ｃａの内周縁部のうちピン当接領域１１ｃｂ（図９の符号Ｈ１で示す斜線領域）の一部に変形が生じ、その結果、挿入開口部１１ｃａのピン当接領域１１ｃｂは、図９の符号Ｈ２で示す斜線領域のような形態に変形してしまうことがある。
【００７４】
ここで、図２０は、従来形態のマウントロック機構において、ロック溝１１ｘｃに対してロックピン５３が係合している状態を示している。従来の形態のロック溝１１ｘｃは、挿入開口部の周縁部のピン当接領域１１ｘｃｂから溝底面部１１ｘｃｄの周縁部の間に傾斜面が形成されていないものとしている。
【００７５】
このような従来形態のロック溝１１ｘｃにロックピン５３が係合した状態で、当該係合部分に外力が繰り返し加わると、図２０の符号Ｈｘ１で示す斜線領域に変形が生じ、その結果、挿入開口部のピン当接領域１１ｘｃｂは、図２０の符号Ｈｘ２で示す斜線領域のような形態に変形してしまう。
【００７６】
この場合、当該係合部分に外力が加わり続けると、やがて、その変形部分が結合完了位置にあるロックピン５３の先端部分の面取部５３ａにまで到達する。すると、当該変形によって形成された斜面１１ｘｃｃ１に沿って、ロックピン５３の面取部５３ａが移動し、その結果、当該ロックピン５３がロック溝１１ｘｃの外に離脱してしまう可能性がある。
【００７７】
なお、図２０に例示の別の形態として、図示してはいないが、挿入開口部の周縁部のピン当接領域１１ｘｃｂから溝底面部１１ｘｃｄの周縁部の間に、徐々に拡がる傾斜面を構成した場合（Ｄ１＞Ｄ２の場合）が考えられる。この場合にも同様の作用によって、ロック溝１１ｘｃからのロックピン５３の離脱の可能性がある。
【００７８】
一方、本実施形態のマウントロック機構によれば、ロック溝１１ｃは、上述したように、挿入開口部１１ｃａの内周縁部のピン当接領域１１ｃｂから溝底面部１１ｃｄの周縁部までの間を連続的に形成される傾斜面部１１ｃｃで構成している。かつ、当該傾斜面部１１ｃｃは、挿入開口部１１ｃａの溝幅Ｄ１に対して最深部である溝底面部１１ｃｄの溝幅Ｄ２が一番大きくなるように構成している。
【００７９】
したがって、このような構成を採ることによって、本実施形態のマウントロック機構においては、ロックピン５３によってロック溝１１ｃのピン当接領域１１ｃｂが、図９の符号Ｈ２に示すように変形したとしても、その変形部分が結合完了位置にあるロックピン５３の先端部分の面取部５３ａにまで到達しない限りは、レンズ鏡筒１の回転外力を受けても、当該ロックピン５３がロック溝１１ｃから抜け出てしまうことを抑止することができる。
【００８０】
以上説明した上記第１の実施形態によれば、ロックピン５３がロック溝１１ｃに挿入する挿入開口部ｃａの第１の溝幅Ｄ１は、ロック溝１１ｃにロックピン５３が係合完了した際にロックピン５３の先端部が位置するロック溝１１ｃの一部位である溝底面部１１ｃｄの第２の溝幅Ｄ２よりも小さくなるように構成した（Ｄ１＜Ｄ２）。
【００８１】
したがって、例えばカメラマウント側のロックピン５３とレンズ鏡筒１側のロック溝１１ｃとの係合部分に大きな外力が加わって、当該係合部分が変形したとしても、ロックピン５３がとロック溝１１ｃから抜け落ちてしまうことを抑止することができる。
【００８２】
［第２の実施形態］
上述の第１の実施形態では、レンズ鏡筒側のレンズマウントに配置されるロック溝の一形態として、マウントリングの一部位にロック溝を一体に形成した構成例を示した。
【００８３】
次に説明する本発明の第２の実施形態は、レンズ鏡筒側のレンズマウントに配置されるロック溝の別の一形態として、マウントリングとは別体部材にロック溝を形成し、当該別体部材（ロック溝ユニット）をマウントリングの所定の部位に対して圧入接合等により組み付ける構成例である。
【００８４】
本発明の第２の実施形態は、基本的には上述の第１の実施形態と略同様の構成からなり、マウントリング及びロック溝近傍の構成が異なるのみである。したがって、上述の第１の実施形態と同じ構成部材については、同じ符号を付して、その詳細説明は省略し、異なる部分についてのみ以下に説明する。なお、説明を省略した部分については、上述の第１の実施形態の説明及び図面を参照する。
【００８５】
図１０，図１１は、本発明の第２の実施形態を示す図である。このうち図１０は、本実施形態のマウントロック機構におけるロック溝が形成される近傍を拡大して示す要部拡大平面図である。なお、図１０は上述の第１の実施形態における図４に相当する図である。図１１は図１０の矢印［１１］−［１１］線に沿う断面を示す要部拡大断面図である。即ち、図１１は本実施形態のマウントロック機構におけるロック溝の断面形状（ロックピンの挿入方向に平行な断面形状）を示している。
【００８６】
本実施形態のマウントロック機構においても、レンズ鏡筒１Ａ側のレンズマウントにロック溝１５ｃが配置され、カメラ本体（不図示）側のカメラマウントにロックピン（不図示；図７等参照）が配置されているものとする。
【００８７】
本実施形態において、レンズ鏡筒１Ａ側のレンズマウントに設けられるロック溝１５ｃは、マウントリング１１Ａとは別体部材であるロック溝ユニット１５Ａに形成されている。そして、このロック溝ユニット１５Ａが、マウントリング１１Ａのロック溝配置孔１１Ａｃに対して圧入接合等の組み付け手段によって配設されている。
【００８８】
ここで、ロック溝ユニット１５は、上述の第１の実施形態におけるロック溝１１ｃと略同形態に形成されるロック溝１５ｃを有する部材である。
【００８９】
即ち、ロック溝１５ｃは、図１０，図１１に示すように、挿入開口部１５ｃａと、ピン当接領域１５ｃｂと、傾斜面部１５ｃｃと、溝底面部１５ｃｄ等を有して形成されている。
【００９０】
挿入開口部１５ｃａは、上述の第１の実施形態におけるロック溝１１ｃの挿入開口部１１ｃａに相当する。即ち、挿入開口部１５ｃａは、ロックピンが挿入する側の開口として形成される部位である。挿入開口部１５ｃａは、マウントリング１１Ａの周方向に対して略直交する方向に延びる溝の開口として形成されている。
【００９１】
ピン当接領域１５ｃｂは、上述の第１の実施形態におけるロック溝１１ｃのピン当接領域１１ｃｂに相当する。ピン当接領域１５ｃｂは、挿入開口部１５ｃａの内周縁部のうちマウントリング１１Ａの周方向に対して略直交する線に沿う所定の範囲の部位である（図１０参照）。
【００９２】
傾斜面部１５ｃｃは、上述の第１の実施形態におけるロック溝１１ｃの傾斜面部１１ｃｃに相当する。傾斜面部１５ｃｃは、挿入開口部１５ｃａの内周縁部のピン当接領域１５ｃｂから溝底面部１５ｃｄの周縁部までの間に連続的に形成される斜面である。
【００９３】
溝底面部１５ｃｄは、上述の第１の実施形態におけるロック溝１１ｃの溝底面部１１ｃｄに相当する。溝底面部１５ｃｄは、ロック溝１５ｃにロックピンが係合完了した際に、当該ロックピンの先端部が位置するロック溝１５ｃ内における一部位である。そして、この溝底面部１５ｃｄは、当該ロック溝１５ｃの凹状における最深部に位置するものである。
【００９４】
ここで、ロック溝１５ｃにおいて、挿入開口部１５ｃａの長軸に対して略直交する方向の短軸の溝幅を第１の溝幅Ｄ１というものする（図６参照）。また、溝底面部１５ｃｄにおいて、第１の溝幅Ｄ１と同方向の溝幅を第２の溝幅Ｄ２というものとする（図６参照）。
【００９５】
この場合において、本実施形態のマウントロック機構におけるロック溝１５ｃは、挿入開口部１５ｃａの第１の溝幅Ｄ１が、溝底面部１５ｃｄの第２の溝幅Ｄ２よりも小さくなるように形成されている（Ｄ１＜Ｄ２）。
【００９６】
そして、この場合において、ロック溝１５ｃは、図１０，図１１に示すように、ロックピンの挿入方向に平行な断面形状において、第１の溝幅Ｄ１を有する部位（挿入開口部１５ｃａに平行な面）から第２の溝幅Ｄ２を有する部位（溝底面部１５ｃｄに平行な面）までの間は、溝幅が徐々に増加する傾斜面（開口１５ｃａから底面部１５ｃｄに向けて拡がるテーパー面）を形成している。つまり、ロック溝１５ｃは、挿入開口部１５ｃａの溝幅Ｄ１に対して最深部である溝底面部１１ｃｄの溝幅Ｄ２が一番大きくなるように構成されている。
【００９７】
なお、本実施形態のマウントロック機構において、上記ロック溝１５ｃに係合するロックピンは、上述の第１の実施形態と略同様の構成を有する（図７参照）。
【００９８】
このように構成されたロック溝ユニット１５は、マウントリング１１Ａのロック溝配置孔１１Ａｃに対して、例えば圧入接合等の組み付け手段によって配設されている。その他の構成は、上述の第１の実施形態と略同様である。
【００９９】
以上説明した上記第２の実施形態によれば、上述の第１の実施形態と同様の効果を得ることができる。
【０１００】
また、本実施形態によれば、マウントリング１１Ａとは別体部材であるロック溝ユニット１５Ａを用いてロック溝１５ｃを形成するようにしている。この場合、ロック溝ユニット１５Ａについては、マウントリング１１Ａよりも硬い材質の部材を用いて形成すれば、ロックピンがロック溝ユニット１５Ａのロック溝１５ｃに係合したとき、当該係合部分に大きな外力が加わったとしても、ロック溝１５ｃの変形を抑止することができる。
【０１０１】
［第３の実施形態］
上述の第２の実施形態では、レンズ鏡筒側のレンズマウントに配置されるロック溝の一形態として、マウントリングとは別体部材にロック溝を形成し、当該別体部材（ロック溝ユニット）をマウントリングの所定の部位に対して圧入接合等により組み付ける構成例を示した。
【０１０２】
次に説明する本発明の第３の実施形態は、レンズ鏡筒側のレンズマウントに配置されるロック溝の別の一形態として、マウントリングとは別体部材のロック溝ユニットにロック溝を形成し、当該別体部材をマウントリングの所定の部位に対してビス止め接合等により組み付ける構成例である。
【０１０３】
本発明の第３の実施形態は、基本的には上述の第２の実施形態と略同様の構成からなり、マウントリング及びロック溝ユニット，筒鏡体の構成が異なるのみである。したがって、上述の第１，第２の実施形態と同じ構成部材については、同じ符号を付して、その詳細説明は省略し、異なる部分についてのみ以下に説明する。なお、説明を省略した部分については、上述の第１，第２の実施形態の説明及び図面を参照する。
【０１０４】
図１２〜図１８は、本発明の第３の実施形態を示す図である。このうち、図１２は、本実施形態のマウントロック機構を適用したレンズ鏡筒の外観斜視図である（図１に相当）。図１３は図１２のレンズ鏡筒の分解斜視図である（図２に相当）。なお、図１３においては、レンズ鏡筒に含まれる撮像光学系等、本発明に直接関連しない一部の部材を省略して図示している。図１４は、図１２の矢印［１４］方向から見た矢視図である（図３に相当）。即ち、図１４は本発明の一実施形態のレンズマウントの平面図である。図１５は図１４の矢印［１５］で示す円形領域を拡大して示す要部拡大図である（図４に相当）。図１６は図１４のレンズ鏡筒から一部の部材（マウントリング及び接点ユニット，固定筒）を取り外した状態を示し、図１５と同じ領域を示す要部拡大図である。図１７は本実施形態のマウントロック機構におけるロック溝ユニットを取り出して示す外観斜視図である。図１８は図１７の矢印［１８］方向から見た矢視図である。
【０１０５】
まず、本発明の第３の実施形態のマウントロック機構を適用したレンズ鏡筒の概略構成について、主に図１２〜図１４を用いて以下に説明する。
【０１０６】
本実施形態のマウントロック機構を適用したレンズ鏡筒１Ｂは、図示のように、マウントリング１１Ｂと、筒本体１２Ｂと、固定筒１３と、接点ユニット１４と、ロック溝ユニット１５Ｂと、撮像光学系１６等を有して構成されている。
【０１０７】
マウントリング１１Ｂは、カメラ本体側のマウント部であるカメラマウント（不図示）に対してバヨネット結合するためのレンズ鏡筒１Ｂ側のマウント部である。
【０１０８】
マウントリング１１Ｂは、略円環形状に形成され、開口１１ｄと、外向フランジ部１１ｅと、内向フランジ部１１ｆと、複数のバヨネット爪１１ｇ等を有して構成されている。
【０１０９】
開口１１ｄは、被写体光束を通過させる貫通孔である。
【０１１０】
外向フランジ部１１ｅは、マウントリング１１Ｂを筒本体１２Ｂに対して固定する固定部位である。そのために、この外向フランジ部１１ｅには、複数のビス挿通孔１１ａが形成されている。そして、マウントリング１１Ｂは、複数のビス挿通孔１１ａに挿通される複数のビス２１のそれぞれを、筒本体１２Ｂの複数のビス孔１２ａのそれぞれに締結されることによって固定されている。
【０１１１】
また、外向フランジ部１１ｅには、ロック溝配置孔１１Ｂｃが形成されている。このロック溝配置孔１１Ｂｃは、マウントリング１１Ｂの外向フランジ部１１ｅにおける周方向に長軸を有する長孔として形成されている。そして、当該ロック溝配置孔１１Ｂｃは、マウントリング１１Ｂを筒本体１２Ｂに組み付けたときに、マウントリング１１Ｂと筒本体１２Ｂとの間に設けられるロック溝ユニット１５Ｂ（詳細後述）の一部（一対の凸状部１５ａ及びロック溝１５ｄ）を、マウントリング１１Ｂのマウント面から外部に露呈させるための長孔であり貫通孔である。ここで、マウント面とは、レンズ鏡筒１Ｂがカメラ本体（不図示）に装着される際に、当該マウントリング１１Ｂがカメラマウント（不図示）側のマウント部に相対する面を指している（図３で示す面参照）。
【０１１２】
内向フランジ部１１ｆは、固定筒１３をマウントリング１１Ｂに対して固定する固定部位である。そのために、この内向フランジ部１１ｆには、複数のビス孔１１ｂが形成されている。そして、固定筒１３は、複数のビス２２のそれぞれを、後述する複数のビス挿通孔１３ａのそれぞれに挿通させた後に、マウントリング１１Ｂの複数のビス孔１１ｂのそれぞれに締結させることによって、当該マウントリング１１Ｂに固定されている。
【０１１３】
バヨネット爪１１ｇは、カメラマウント（不図示）側のバヨネット爪（不図示）に対してバヨネット結合するための複数の爪部である。なお、マウントリング１１Ｂにおけるバヨネット結合を実現するための構成は、従来のレンズ鏡筒等において適用されるものと略同様構成を有するものである。したがって、その詳細説明は省略する。
【０１１４】
筒本体１２Ｂは、全体として円筒形状に形成され、内周面沿って形成される内向フランジ部１２ｄと、円周状壁部１２ｅとを有して構成される固定部材である。この筒本体１２Ｂの内部には撮像光学系１６（図１，図３参照；図２には不図示）や、撮像光学系１６の一部を駆動するための駆動ユニット（不図時）等、各種の構成部材を収納している。なお、筒本体１２Ｂの内部構成については、本発明に直接関連しない部分であるので、その図示及び詳細説明は省略する。
【０１１５】
筒本体１２Ｂの内向フランジ部１２ｄには、ロック溝ユニット１５Ｂ（詳細後述）を、その平面上に位置決めするための位置決めピン１２ｂａ，１２ｂｂが複数（本例では２つ）設けられている。また、筒本体１２Ｂの内向フランジ部１２ｄには、同ロック溝ユニット１５Ｂ（詳細後述）を筒本体１２Ｂに対して固定するための複数のビス孔１２ｃが設けられている（本例では２つ）。
【０１１６】
詳細は後述するが、これにより、ロック溝ユニット１５Ｂは、筒本体１２Ｂの内向フランジ部１２ｄの平面上の所定の位置に対し、複数の位置決めピン１２ｂａ，１２ｂｂによって位置決めされた状態で、複数のビス２３のそれぞれが複数のビス孔１２ｃのそれぞれに締結されることによって筒本体１２Ｂに固定される。
【０１１７】
また、円周状壁部１２ｅは、当該筒本体１２Ｂにおいて、上記内向フランジ部１２ｄの外周に沿って形成された円周状の壁状部位である。この円周状壁部１２ｅ内には、マウントリング１１Ｂが配置される。したがって、円周状壁部１２ｅの内径寸法は、マウントリング１１Ｂが当該円周状壁部１２ｅ内部に収納され得るように、当該マウントリング１１Ｂの外径寸法と略同等で、かつマウントリング１１Ｂの外径寸法よりも若干大径となるように形成されている。
【０１１８】
したがって、筒本体１２Ｂの円周状壁部１２ｅの内部にマウントリング１１Ｂを配置したとき、円周状壁部１２ｅは、マウントリング１１Ｂの外周の位置を位置決めする。
【０１１９】
固定筒１３，接点ユニット１４は、上述の第１の実施形態と同様の構成を備える。したがって、その詳細説明は省略する。
【０１２０】
次に、ロック溝ユニット１５Ｂについて詳述する。ロック溝ユニット１５Ｂは、カメラマウント（不図示）側に配置されたロックピン（不図示；ロック機構の一部）と係合するロック溝１５ｄ（ロック機構の一部）を形成すると共に、後述するマウントリング１１Ｂの回転位置決め部となる突状壁（１５ｅ，１５ｆ）を有して形成され、筒本体１２Ｂに対して所定の手段で位置決め固定される固定部材である。
【０１２１】
ロック溝ユニット１５Ｂは、マウントリング１１Ｂとは別体に別部品として構成されている。そして、当該ロック溝ユニット１５Ｂは、マウントリング１１Ｂよりも硬い材質の部材を用いて形成されている。
【０１２２】
上述したように、ロック溝ユニット１５Ｂは、筒本体１２Ｂの内向フランジ部１２ｄの平面上の所定の位置に位置決めされた状態で固定されている。そのために、ロック溝ユニット１５Ｂには、図１７に示すように、位置決め用嵌合部としての嵌合孔１５ｂａと、切欠部１５ｂｂと、複数のビス挿通孔１５ｃが形成されている。
【０１２３】
そして、図１６に示すように、嵌合孔１５ｂａ及び切欠部１５ｂｂに対して、筒本体１２Ｂの内向フランジ部１２ｄの位置決めピン１２ｂａ，１２ｂｂのそれぞれが嵌合する。これにより、ロック溝ユニット１５Ｂは、筒本体１２Ｂの内向フランジ部１２ｄの平面上の所定の位置に位置決めされる。
【０１２４】
このようにして、ロック溝ユニット１５Ｂが筒本体１２Ｂに対して位置決めされた状態で、図１６に示すように、複数のビス挿通孔１５ｃのそれぞれに複数のビス２３が挿通され、筒本体１２Ｂの複数のビス孔１２ｃのそれぞれに締結される。これによって、ロック溝ユニット１５Ｂは、筒本体１２Ｂの内向フランジ部１２ｄの平面上に固定される。
【０１２５】
さらに、ロック溝ユニット１５Ｂは、図１７に示すように、一対の凸状部１５ａを有して形成されている。この一対の凸状部１５ａは、所定の間隔を置いて互いに対向して配置される第１凸状部１５ａａと第２凸状部１５ａｂとによって構成されている。そして、第１凸状部１５ａａと第２凸状部１５ａｂとの間には、カメラマウント（不図示）側に配置されたロックピン（不図示）と係合するロック溝１５ｄが形成されている。
【０１２６】
ここで、ロック溝１５ｄは、一対の凸状部１５ａにおける第１凸状部１５ａａと第２凸状部１５ａｂとの相対する壁によって形成されている。そして、当該ロック溝１５ｄは、マウントリング１１Ｂの周方向に対して略直交する方向に延びる溝として形成されている。
【０１２７】
そして、ロック溝ユニット１５Ｂが筒本体１２Ｂの内向フランジ部１２ｄに位置決め固定された状態で、筒本体１２Ｂの円周状壁部１２ｅに対しマウントリング１１Ｂが、当該ロック溝ユニット１５Ｂを覆うようにして配置されている。これにより、マウントリング１１Ｂは、外周の位置が円周状壁部１２ｅによって位置決めされる。
【０１２８】
さらに、このとき、ロック溝ユニット１５Ｂの一対の凸状部１５ａは、マウントリング１１Ｂのロック溝配置孔１１Ｂｃ（長孔）に係合している。これによって、マウントリング１１Ｂの回転方向の移動は、一対の凸状部１５ａによって規制され、当該マウントリング１１Ｂの回転方向の位置決めがなされる。
【０１２９】
即ち、この状態においては、一対の凸状部１５ａにおける第１凸状部１５ａａと第２凸状部１５ａｂとの各々は、ロック溝ユニット１５Ｂのロック溝１５ｄを形成する側の壁とは反対側の突状壁（１５ｅ，１５ｆ）のそれぞれがマウントリング１１Ｂのロック溝配置孔１１Ｂｃ（長孔）の内縁に当接している。これによって、一対の凸状部１５ａは、当該ロック溝配置孔１１Ｂｃの位置、即ちマウントリング１１Ｂの回転方向の位置決めをしている。
【０１３０】
ここで、突状壁１５ｅ，１５ｆは、ロック溝１５ｄを形成する側の壁と並行に延びる壁である。ロック溝１５ｄは、上述したように、マウントリング１１Ｂの周方向に対して略直交する方向に延びる溝である。したがって、突状壁１５ｅ，１５ｆも、マウントリング１１Ｂの周方向に対して略直交する方向に延びる壁として形成されている。
【０１３１】
このような構成により、マウントリング１１Ｂは、外周が筒本体１２Ｂの円周状壁部１２ｅにより筒本体１２Ｂに対して位置決めされていると共に、ロック溝配置孔１１Ｂｃが突状壁１５ｅ，１５ｆによって筒本体１２Ｂに対して位置決めされる。
【０１３２】
このように、マウントリング１１Ｂは、筒本体１２Ｂに対して位置決めされた状態とされる。この状態で、ロック溝ユニット１５Ｂに形成された一対の凸状部１５ａのロック溝１５ｄは、マウント面のロック溝配置孔１１ｃから外部に露呈するように構成されている。これにより、レンズ鏡筒１側のレンズマウントとカメラ本体側のカメラマウント（不図示）とがバヨネット結合する際には、レンズマウント側のロック溝１５ｄに、カメラマウント側のロックピン（不図示）が係合するようになっている。
【０１３３】
さらに、ロック溝ユニット１５Ｂに形成されるロック溝１５ｄ自体の形状は、上述の第１の実施形態におけるロック溝１１ｃや上述の第２の実施形態におけるロック溝１５ｃと同形態に形成されている。
【０１３４】
即ち、ロック溝１５ｄは、図１８等に示すように、挿入開口部１５ｃａと、ピン当接領域１５ｃｂと、傾斜面部１５ｃｃと、溝底面部１５ｃｄ等を有して形成されている。
【０１３５】
挿入開口部１５ｃａは、上述の第１の実施形態におけるロック溝１１ｃの挿入開口部１１ｃａに相当する。即ち、挿入開口部１５ｃａは、ロックピンが挿入する側の開口として形成される部位である。挿入開口部１５ｃａは、マウントリング１１Ｂの周方向に対して略直交する方向に延びる溝の開口として形成されている。
【０１３６】
ピン当接領域１５ｃｂは、上述の第１の実施形態におけるロック溝１１ｃのピン当接領域１１ｃｂに相当する。ピン当接領域１５ｃｂは、挿入開口部１５ｃａの内周縁部のうちマウントリング１１Ｂの周方向に対して略直交する線に沿う所定の範囲の部位である。
【０１３７】
傾斜面部１５ｃｃは、上述の第１の実施形態におけるロック溝１１ｃの傾斜面部１１ｃｃに相当する。傾斜面部１５ｃｃは、挿入開口部１５ｃａの内周縁部のピン当接領域１５ｃｂから溝底面部１５ｃｄの周縁部までの間に連続的に形成される斜面である。
【０１３８】
溝底面部１５ｃｄは、上述の第１の実施形態におけるロック溝１１ｃの溝底面部１１ｃｄに相当する。溝底面部１５ｃｄは、ロック溝１５ｄにロックピンが係合完了した際に、当該ロックピンの先端部が位置するロック溝１５ｄ内における一部位である。そして、この溝底面部１５ｃｄは、当該ロック溝１５ｄの凹状における最深部に位置するものである。
【０１３９】
ここで、ロック溝１５ｄにおける挿入開口部１５ｃａの第１の溝幅Ｄ１は、溝底面部１５ｃｄの第２の溝幅Ｄ２よりも小さくなるように形成されている（Ｄ１＜Ｄ２）。
【０１４０】
そして、この場合において、ロック溝１５ｄは、図１８に示すように、ロックピンの挿入方向に平行な断面形状において、第１の溝幅Ｄ１を有する部位（挿入開口部１５ｃａに平行な面）から第２の溝幅Ｄ２を有する部位（溝底面部１５ｃｄに平行な面）までの間は、溝幅が徐々に増加する傾斜面（開口１５ｃａから底面部１５ｃｄに向けて拡がるテーパー面）を形成している。つまり、ロック溝１５ｄは、挿入開口部１５ｃａの溝幅Ｄ１に対して最深部である溝底面部１５ｃｄの溝幅Ｄ２が一番大きくなるように構成されている。
【０１４１】
なお、本実施形態のマウントロック機構において、上記ロック溝１５ｃに係合するロックピンは、上述の第１の実施形態と略同様の構成を有する（図７参照）。また、その他の構成は、上述の各実施形態と略同様である。
【０１４２】
以上説明したように上記第３の実施形態によれば、レンズマウントにおけるマウントリング１１Ｂは、円周状壁部１２ｅによって外周の位置が位置決めされると同時に、突状壁１５ｅ，１５ｆによってロック溝配置孔１１Ｂｃ（長孔）の位置が位置決めされる。
【０１４３】
この構成により、マウントリング１１Ｂを確実に位置決めするように構成したので、カメラマウント側のロックピン（不図示）とロック溝ユニット１５のロック溝１５ｄとの係合部分に大きな外力が加わったとしても、当該係合部分の変形を抑止でき、よって、ロックピン（不図示）とロック溝１５ｄとの間にガタが生じることを抑止することができる。
【０１４４】
また、カメラマウント側のロックピン（不図示）とロック溝１５ｄとを係合状態としたときに、ロックピン（不図示）に係合するロック溝１５ｄは、マウントリング１１の回転規制を行っている。したがって、マウントリング１１が回転してレンズ鏡筒１が全体として光軸回りに回転することを抑止できる。
【０１４５】
つまり、マウントリング１１Ｂの位置決めを精度良く確実に行うことができるので、ロックピン（不図示）とロック溝１５ｄとの間に生じるガタの発生を抑止できる。
【０１４６】
また、ロック溝ユニット１５Ｂはマウントリング１１Ｂとは別体に別部品として構成すると共に、ロック溝ユニット１５Ｂは筒本体１２Ｂとマウントリング１１Ｂとの間に挟まれるように配設したので、装置が大型化することを抑止することができる。
【０１４７】
さらに、ロック溝ユニット１５Ｂは、マウントリング１１Ｂよりも硬い材質の部材を用いて形成したので、カメラマウント側のロックピン（不図示）がロック溝ユニット１５Ｂのロック溝１５ｄに係合しているときに、当該係合部分に大きな外力が加わったとしても、ロック溝１５ｄの変形を抑止することができる。
【０１４８】
これらに加えて、本実施形態においては、ロック溝１５ｄのロックピンの挿入方向に平行な断面形状として、挿入開口部１５ｃａの内周縁部のピン当接領域１５ｃｂから溝底面部１５ｃｄの周縁部までの間に連続的に形成される傾斜面部１５ｃｃを設けている。この場合において、傾斜面部１５ｃｃは、挿入開口部１５ｃａの第１の溝幅Ｄ１が、溝底面部１５ｃｄの第２の溝幅Ｄ２よりも小さくなるように（Ｄ１＜Ｄ２）形成されている。
【０１４９】
この構成により、カメラマウント側のロックピン（不図示）とロック溝ユニット１５Ｂのロック溝１５ｄとが係合しているときに、当該係合部分に大きな外力が加わって変形が生じたとしても、ロックピン（不図示）がロック溝１５ｄから抜け出てしまうことを抑止することができる。
【０１５０】
［第４の実施形態］
上述の第１〜第３の実施形態では、レンズ鏡筒側のレンズマウントに配置されるロック溝の一形態として、ロック溝（１１ｃ，１５ｃ，１５ｄ）のロックピンの挿入方向に平行な断面形状が、挿入開口部１５ｃａの内周縁部のピン当接領域１５ｃｂから溝底面部１５ｃｄの周縁部までの間に連続的に形成される傾斜面部１５ｃｃを設け、この傾斜面部１５ｃｃは、挿入開口部１５ｃａの第１の溝幅Ｄ１が、溝底面部１５ｃｄの第２の溝幅Ｄ２よりも小さくなるように（Ｄ１＜Ｄ２）形成した構成例を示した。
【０１５１】
次に説明する本発明の第４の実施形態は、レンズ鏡筒側のレンズマウントに配置されるロック溝の別の一形態として、ロック溝（１１ｃ，１５ｃ，１５ｄ）のロックピンの挿入方向に平行な断面形状が、挿入開口の第１の溝幅Ｄ１を有する部位から溝底面部の第２の溝幅Ｄ２を有する部位までの間の溝幅が段階的に大きくなるように構成した構成例である。
【０１５２】
本発明の第４の実施形態は、基本的には上述の各実施形態と略同様の構成からなり、ロック溝の形状が異なるのみである。したがって、上述の各実施形態と同じ構成部材については、同じ符号を付して、その詳細説明は省略し、異なる部分についてのみ以下に説明する。なお、説明を省略した部分については、上述の各実施形態の説明及び図面を参照する。
【０１５３】
図１９は、本発明の第４の実施形態のマウントロック機構において、ロック溝が形成される近傍を拡大して示す要部拡大断面図である。この図１９は上述の第１の実施形態における図５、又は第２の実施形態における図１１にそれぞれ相当する図である。
【０１５４】
本実施形態のマウントロック機構を適用したレンズ鏡筒１Ｃにおいては、マウントリング１１Ｃとは別体に別部品として構成され、ロック溝１５Ｃｄが形成されたロック溝ユニット１５Ｃを有して構成されている。このロック溝ユニット１５Ｃは、マウントリング１１Ｃの所定の部位に対して圧入接合等により組み付けられている。
【０１５５】
ロック溝ユニット１５Ｃに形成されるロック溝１５Ｃｄは、図１９に示すように、挿入開口部１５ｃａと、ピン当接領域１５ｃｂと、溝内壁部１５ｍ，１５ｎと、溝底面部１５ｃｄ等を有して形成されている。
【０１５６】
挿入開口部１５ｃａは、ロックピンが挿入する側の開口である。挿入開口部１５ｃａは、マウントリング１１Ｃの周方向に対して略直交する方向に延びる溝の開口として形成されている。
【０１５７】
ピン当接領域１５ｃｂは、挿入開口部１５ｃａの内周縁部のうちマウントリング１１Ｃの周方向に対して略直交する線に沿う所定の範囲の部位である。このピン当接領域１５ｃｂは、ロック溝１５Ｃｄにロックピンが係合した状態で、例えばロック溝１５Ｃｄとロックピンとの係合部分に外力が加わったときにロックピンが当接する部位である。
【０１５８】
溝内壁部１５ｍは、挿入開口１５ｃａに繋がる溝内壁面である。この溝内壁部１５ｍの溝幅を第１の溝幅Ｄ１としている。溝内壁部１５ｎは、溝底面部１５ｃｄに繋がる溝内壁面である。この溝内壁部１５ｎの溝幅を第２の溝幅Ｄ２としている。そして、溝内壁部１５ｍと溝内壁部１５ｎとの間には、階段状の段差が形成されている。
【０１５９】
溝底面部１５ｃｄは、ロック溝１５Ｃｄにロックピンが係合完了した際に、当該ロックピンの先端部が位置するロック溝１５Ｃｄ内における一部位である。つまり、この溝底面部１５ｃｄは、当該ロック溝１５Ｃｄの凹状における最深部である。
【０１６０】
そして、ロック溝１５ｄにおける挿入開口部１５ｃａの第１の溝幅Ｄ１は、溝底面部１５ｃｄの第２の溝幅Ｄ２よりも小さくなるように形成されている（Ｄ１＜Ｄ２）。
【０１６１】
換言すると、本実施形態のマウントロック機構において、ロック溝１５Ｃｄは、図１９に示すように、ロックピン（不図示）の挿入方向に平行な断面形状において、第１の溝幅Ｄ１を有する部位（挿入開口部１５ｃａに平行な面）と、第２の溝幅Ｄ２を有する部位（溝底面部１５ｃｄに平行な面）との間で、溝幅が段階的に大きくなるような段差を設けて形成されている。そして、ロック溝１５Ｃｄは、挿入開口部１５ｃａの溝幅Ｄ１に対して最深部である溝底面部１５ｃｄの溝幅Ｄ２が一番大きくなるように構成されている。その他の構成は、上述の各実施形態と略同様である。
【０１６２】
以上説明した構成の上記第４の実施形態においても、上述の各実施形態と同様に、ロック溝１５Ｃｄとロックピンとの係合部分に対して外力が加わる等によって、変形が生じたとしても、係合状態のロックピンが抜け出てしまうことを抑止することができる。
【０１６３】
なお、本実施形態においては、マウントリング１１Ｃとは別体の別部品としてのロック溝ユニット１５Ｃにロック溝１５Ｃｄを形成した構成例を示したが、この形態に限られることはない。例えば、上述の第１の実施形態と同様に、マウントリング自体に、本実施形態と同形状のロック溝を形成する形態であってもよい。また、上述の第３実施形態と同様の形態のロック溝ユニットを採用し、このロック溝ユニットに本実施形態と同形状のロック溝を形成する形態であってもよい。
【０１６４】
本発明の各実施形態においては、本発明のマウントロック機構を適用し得る機器の一例として、レンズ交換式撮像装置における交換用レンズ鏡筒を示して説明しているが、本発明のマウントロック機構を適用し得る機器としては、上述のレンズ交換式撮像装置に限られることはない。即ち、バヨネット結合で接続される機器同士の間に介在するマウント装置におけるマウントロック機構に広く適用することができる。
【０１６５】
本発明のマウントロック機構は、本実施形態で例示されるレンズ鏡筒のみに限らず、例えば、撮像装置本体（カメラ本体）に着脱自在に構成され略筒形状を有する形態のアクセサリ類であって、例えばリアコンバージョンレンズ（テレコンバーター）や接写用中間リング（エクステンションチューブ）又はレンズアダプター等に対しても全く同様に適用することができる。
【０１６６】
本発明は上述した実施形態に限定されるものではなく、発明の主旨を逸脱しない範囲内において種々の変形や応用を実施することができることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【符号の説明】
【０１６７】
１，１Ａ，１Ｂ，１Ｃ……レンズ鏡筒
１１，１１Ａ，１１Ｂ，１１Ｃ……マウントリング
１１ｃ，１１Ａｃ，１１Ｂｃ……ロック溝配置孔
１１ａ……ビス挿通孔
１１ｂ……ビス孔
１１ｃ……ロック溝１１ｃ
１１ｃａ，１５ｃａ……挿入開口部
１１ｃｂ，１５ｃｂ……ピン当接領域
１１ｃｃ，１５ｃｃ……傾斜面部
１１ｃｄ，１５ｃｄ……溝底面部
１１ｄ……開口
１１ｅ……外向フランジ部
１１ｆ……内向フランジ部
１１ｇ……バヨネット爪
１２，１２Ｂ……筒本体
１２ａ……ビス孔
１２ｂａ，１２ｂｂ……位置決めピン
１２ｃ……ビス孔
１２ｄ……内向フランジ部
１２ｅ……円周状壁部
１３……固定筒
１３ａ……ビス挿通孔
１３ｂ……外向フランジ部
１３ｃ……切欠部
１４……接点ユニット
１４ａ……電子接点
１５，１５Ａ，１５Ｂ，１５Ｃ……ロック溝ユニット
１５ａ……凸状部
１５ａａ……第１凸状部
１５ａｂ……第２凸状部
１５ｂａ……嵌合孔
１５ｂｂ……切欠部
１５ｃ，１５ｄ，１５Ｃｄ……ロック溝
１５ｅ，１５ｆ……突状壁
１５ｍ，１５ｎ……溝内壁部
１５ｈ……ビス挿通孔１５ｃ
１６……撮像光学系
２１，２２，２３……ビス
５０……カメラマウント
５１……マウントリング
５１ｄ……開口部
５１ｇ……バヨネット爪
５３……ロックピン
５３ａ……面取部
５４……カメラ側接点ユニット
５４ａ……電子接点
５５……ロック解除操作部材
５９……ビス
６０……撮像素子
【図１】
2020060647.tif 000003
【図２】
2020060647.tif 000004
【図３】
2020060647.tif 000005
【図４】
2020060647.tif 000006
【図５】
2020060647.tif 000007
【図６】
2020060647.tif 000008
【図７】
2020060647.tif 000009
【図８】
2020060647.tif 000010
【図９】
2020060647.tif 000011
【図１０】
2020060647.tif 000012
【図１１】
2020060647.tif 000013
【図１２】
2020060647.tif 000014
【図１３】
2020060647.tif 000015
【図１４】
2020060647.tif 000016
【図１５】
2020060647.tif 000017
【図１６】
2020060647.tif 000018
【図１７】
2020060647.tif 000019
【図１８】
2020060647.tif 000020
【図１９】
2020060647.tif 000021
【図２０】
2020060647.tif 000022